(57)【特許請求の範囲】
【請求項１】
プレキャストコンクリート部材の圧着接合工法において、
圧着接合するべきプレキャストコンクリート部材相互の圧着面の間に、圧着面の不整による応力集中を緩和する、鋼板又は鋼材に代替え性能を有する材質で表面に小さなドーム形状の凹凸を形成した凹凸板を挟み込み、圧着面と垂直方向に配置した緊結材で緊結することを特徴とする、プレキャストコンクリート部材の乾式圧着工法。
【発明の詳細な説明】
【０００１】
【発明の属する技術分野】
この発明は、プレキャストコンクリート部材を使用して構造物を構築する技術分野に属し、更に言えば、プレキャストコンクリート部材相互の接合を完全な乾式の圧着工法で行う技術に関する。
【０００２】
【従来の技術】
従来、鉄筋コンクリート造構造物の構築をプレハブ化する技術として、プレキャストコンクリート部材を相互に接合して構造物を構築する技術が広く実施されている。
プレキャストコンクリート部材を接合する技術は、従来一般に行われてきた湿式接合工法のほか、最近では乾式に近い圧着接合工法（以下、単に圧着工法と言う。）も採用、実施されるようになっている。
【０００３】
湿式接合工法は、プレキャストコンクリート部材の端部に突き出された鉄筋を重ね合わせ、そこへコンクリートを打設して固め接合を行う方法である。
圧着工法は、例えば特開平８ー８２００２号公報その他に開示されて公知であるように、接合するべきプレキャストコンクリート部材に緊張鋼材を通し、この緊張鋼材によって接合面部を強力に圧着し接合する方法である。圧着工法はプレキャストコンクリート部材相互の摩擦接合を前提とした方法であり、湿式接合工法に比して、更にプレファブリケーション性が高く、簡便で、品質精度に優れた接合工法として評価され、広く採用、実施されている。
【０００４】
【本発明が解決しようとする課題】
現状の圧着工法は、プレキャストコンクリート部材相互の接合面の間隙に、現場で収縮性の小さいグラウトやモルタルを充填して圧着の面圧力を均等にする方法が採用されたり、あるいは圧着面間にエポキシ樹脂を塗布する方法も採用されるなど、決して乾式接合とは言えない状況にある。
【０００５】
何故なら、プレキャストコンクリート部材の圧着接合においては、圧着接合面間に大きな面圧力を作用させるため、プレキャストコンクリート部材の圧着面の不整などが原因で大きな応力集中が起こることがある。その対策として、モルタル等の充填、又はエポキシ樹脂の塗布が行われている。圧着面にエポキシ樹脂を塗布する方法は、一見簡便であるが、その前提としてコンクリート部材の接合面を非常に高い精度で仕上げる必要がある。
【０００６】
上述したように、従来、完全に乾式の圧着工法は開発されていない。
本発明の目的は、プレキャストコンクリート部材の圧着接合において、モルタルやエポキシ樹脂等の充填材が全く必要ない、完全な乾式圧着工法を提供することである。
【０００７】
【課題を解決するための手段】
上記の課題を解決するための手段として、請求項１記載の発明に係るプレキャストコンクリート部材の乾式圧着工法は、
プレキャストコンクリート部材の圧着接合工法において、
圧着接合するべきプレキャストコンクリート部材相互の圧着面の間に、圧着面の不整による応力集中を緩和する、鋼板又は鋼材に代替え性能を有する材質で表面に小さなドーム形状の凹凸を形成した凹凸板を挟み込み、圧着面と垂直方向に配置した緊結材で緊結することを特徴とする。
【０００８】
【発明の実施形態】
請求項１記載の発明に係るプレキャストコンクリート部材の乾式圧着工法は、プレキャストコンクリート部材相互の圧着接合工法の形態で好適に実施される。
本発明の代表的な実施例を図１と図２に示した。図１は接合するべき二つのプレキャストコンクリート１、１を垂直な接合面３を介して複数の緊結材２により強力に緊結し圧着接合した例である。図２は二つのプレキャストコンクリート１、１を、その長手方向に対して適度な角度に傾斜させた傾斜面３ａを含む接合面３を介して複数の緊結材２により強く緊結し圧着接合した例である。
【０００９】
図１及び図２ともに、圧着接合するべきプレキャストコンクリート部材１、１相互の圧着面の間に、表面に小さな凹凸を多数形成した板材４（以下、凹凸板と言う。）を挟み込み、圧着面と垂直方向に配置した緊結材２で強力に緊結することは共通する。
図１及び図２は、構造物の柱或いは梁を構成する複数のプレキャストコンクリート部材ユニットを、柱或いは梁として完成する圧着工法として、又は柱と梁に相当するプレキャストコンクリート部材同士の柱、梁接合部に実施される圧着工法として実施される形態の基本例を示している。
【００１０】
本発明の圧着工法に使用する前記の凹凸板４は、プレキャストコンクリート部材１の圧着面の不整を吸収して、完全な乾式の圧着工法を実現するための要素である。即ち、この凹凸板４は、圧着面において、線形的に弾性な又は非線形的に弾性な充填材の一種として作用し、圧着面の不整による応力集中を緩和する。また、接合後においても、コンクリートのクリープによる、緊結材２に導入した張力の減少（圧着力の低下）を、当該凹凸板４の凹凸が弾性的に変形することによりある程度抑える（防止する）作用も期待される。
【００１１】
前記の作用が期待される凹凸板４の具体的な構造、形態の一例を、図３及び図４に示した。円形のドーム形状の凹凸４ａ（図３Ｂが分かり易いように、この例では片面側において凹であり、他面の側では凸である形状。）を形成したものが製作容易である。或いは直角２方向に波形を交差状に形成した凹凸板、その他様々な形態が考えられる。緊結材２へ導入する圧着力の大きさに応じて、凹凸板４の板厚、凹凸の高さ、密度等を変化させて、プレキャストコンクリート部材の様々な接合部位に適用することが出来る。図３及び図４の場合は鋼板の加工品を示し、個々の凹凸４ａは直径２５mm、深さ８mm位の円形ドーム形状で、隣合う凹凸４ａと４ａの中心間距離は３０mm位の密度で形成した例を示している。
【００１２】
凹凸板４の材質は、プレキャストコンクリート部材の圧着面に挟み込むものとして、凹凸を形成した鋼板が一般的に実用性が高いが、その他、非常に強度の高い樹脂（例えば、炭素繊維を混入したもの、あるいはアラミド繊維を混入したものなど）を代用することも可能である。即ち、鋼材に代替の性能を有する材質であれば適用可能性がある。
【００１３】
上記した緊結材２は、通例緊張鋼材と呼ばれるものである。図１のようにスパンの長い緊結の場合にはＰＳケーブル、ＰＣ鋼棒などが好適に使用され、図２のように比較的スパンの短い緊結には高力ボルトなどが好適に使用される。緊結材２の両端は、公知の定着具５により、導入した張力を保持する。緊結材２に張力を導入した後、その孔へグラウトを充填するボンド工法と、何も充填しないアンボンド工法が適宜選択して実施される。
【００１４】
本発明の場合、上記の凹凸板４は、プレキャストコンクリート部材１の圧着面からは完全に独立した挟み込み材として実施するのが基本的な思想である。しかし、場合によっては、いずれか一方、或いは双方のプレキャストコンクリート部材の圧着面に予め装着した構成で実施することも行われる。
【００１５】
【本発明が奏する効果】
本発明に係るプレキャストコンクリート部材の乾式圧着工法によれば、プレキャストコンクリート部材相互の接合作業が簡便となり、コストダウンと工期の短縮を期待できる。
【図面の簡単な説明】
【図１】本発明に係るプレキャストコンクリート部材の乾式圧着工法の実施例を示した正面図である。
【図２】本発明に係るプレキャストコンクリート部材の乾式圧着工法の異なる実施例を示した正面図である。
【図３】Ａは凹凸板の部分断面図、Ｂはコンクリートとの関係を示した断面図である。
【図４】凹凸板の一例を示した部分的な平面図である。
【符号の説明】
１      プレキャストコンクリート部材
４      凹凸板
２      緊結材
【図１】
0003704674.tif 000002
【図２】
0003704674.tif 000003
【図３】
0003704674.tif 000004
【図４】
0003704674.tif 000005